(57)【要約】      （修正有）【課題】ねじを使用するハイエンド向けのスタッドホルダーの構造を提供する。【解決手段】バランスばね用スタッド１及びスタッドホルダー２を有し、バランスばねを保持するアセンブリ２０であって、スタッドホルダー２は、スタッド１を受けるハウジング３と、スタッド１に軸線が垂直なねじ５を有するスタッド１を固定する手段４と、及びエスケープ機構にスタッドホルダー２を固定する手段とを有し、スタッド１は、バランスばねの方向を定める表面を有する。ねじ５は、指標付けされた位置においてスタッド１を保持するように、スタッド１に部分的に進入し、スタッド１は、ねじ５と連係し方向制限用表面７を形成する雌ねじ８を有し、スタッドホルダー２は、ねじ５の通路を与えるボア１１と、及びハウジング３とは反対側におけるボア１１の入口に設けられ、ねじ５の頭５１が当接するための支持表面１１とを有する。【選択図】図５
2015102548.tif 000002
【特許請求の範囲】
【請求項１】
バランスばね用スタッド（１）及びスタッドホルダー（２）を有する計時器用バランスばね（２１）を保持又は支持するためのアセンブリ（２０）であって、
前記スタッドホルダー（２）は、
前記バランスばね用スタッド（１）を受ける第１のハウジング（３）と、
前記バランスばね用スタッド（１）の軸線に垂直な軸線を有する少なくとも１つのねじ（５）を有する、前記バランスばね用スタッド（１）を固定する手段（４）と、及び
エスケープ機構（３０）に前記スタッドホルダー（２）を固定する手段（６）とを有し、
前記バランスばね用スタッド（１）は、前記バランスばね（２１）を保持又は支持する方向を定める少なくとも１つの方向制限用表面（７）を有し、
前記ねじ（５）は、指標付けされたロック位置において前記バランスばね用スタッド（１）を保持するように、前記バランスばね用スタッド（１）に少なくとも部分的に進入し、
前記バランスばね用スタッド（１）は、前記ねじ（５）と連係する雌ねじ（８）を有し、この雌ねじ（８）は、前記方向制限用表面（７）を形成し、
前記スタッドホルダー（２）は、
前記ねじ（５）のそれぞれの通路を与える第１のボア（１１）と、及び
前記スタッド（１）のための前記第１のハウジング（３）とは反対側における前記第１のボア（１１）の入口に設けられ、前記ねじ（５）が有するねじ頭（５１）が当接するための第１の支持表面（１１）とを有する
ことを特徴とするアセンブリ（２０）。
【請求項２】
請求項１に記載のアセンブリ（２０）を少なくとも１つ有することを特徴とする計時器用エスケープ機構（３０）。
【請求項３】
請求項２に記載のエスケープ機構（３０）を少なくとも１つ有することを特徴とする計時器用ムーブメント（４０）。
【請求項４】
請求項３に記載のムーブメント（４０）を少なくとも１つ有し、腕時計である
ことを特徴とする計時器（５０）。
【発明の詳細な説明】
【技術分野】
【０００１】
本発明は、バランスばね用スタッド及びスタッドホルダーを有し、計時器用バランスばねを保持又は支持するアセンブリであって、前記スタッドホルダーは、前記バランスばね用スタッドを受ける第１のハウジングと、前記バランスばね用スタッドの軸線に垂直な軸線を有するねじを有する前記バランスばね用スタッドを固定する手段と、及びエスケープ機構に前記スタッドホルダーを固定する手段とを有し、前記バランスばね用スタッドは、前記バランスばねを保持又は支持する方向を定める少なくとも１つの方向制限用表面を有し、前記ねじは、指標付けされたロック位置において前記バランスばね用スタッドを保持するように、前記バランスばね用スタッドに少なくとも部分的に進入するものに関する。
【０００２】
本発明は、さらに、このようなアセンブリを少なくとも１つ有する計時器用エスケープ機構に関する。
【０００３】
本発明は、さらに、このようなエスケープ機構を少なくとも１つ有する計時器用ムーブメントに関する。
【０００４】
本発明は、さらに、このようなムーブメントを少なくとも１つ有する計時器に関する。
【０００５】
本発明は、バランスばねを有する計時器用エスケープ機構の分野に関する。
【背景技術】
【０００６】
多数の大量生産される種類のものにおいて、バランスばねの外部取り付け点を形成するバランスばね用スタッドは、スタッドホルダーにつかまれ、スタッドホルダーは、平坦で型押しされた部品である。
【０００７】
ハイエンド向けの生産においては、バランスばね用スタッドは、機械加工された部品であるスタッドホルダーにねじ込まれる。そして、止めねじがねじの足とねじ山の間ではたらく。ねじ頭はロックされない。ロックによって、頻繁な損傷を引き起こす。これは、ねじ足がバランスばね用スタッドにロックされ、オペレーターがねじを回し続ける際に、経験するねじれ応力に起因する。
【０００８】
ＤＡＭＡＳＫＯ名義のドイツ実用新案ＤＥ  ２０２０１００２４２５３は、バランスコックに対する放射方向の調整を行うことができるバランスばね用スタッドを記載している。この軸方向のねじ付きスタッドは、円筒状のねじと連係し、このねじの頭は、切断された縦長の溝内を移動する。
【０００９】
ＧＬＡＳＨＵＴＴＥ  ＵＨＲＥＮＢＥＴＲＩＥＢ名義の欧州特許出願ＥＰ  ２２９０４７７Ａ１は、スタッド止めねじを固定する雌ねじを有するスタッドホルダーを記載しており、これは、スタッドの厚みの一部にわたってスタッド内の凹部と連係する。
【発明の概要】
【発明が解決しようとする課題】
【００１０】
本発明は、ねじの使用法が改善されるような変更されたバランスばね用スタッドを作ることを提案するものであり、これによって、ねじ頭とねじ山との間の弾性変形によってねじが通常のはたらきができるようになる。したがって、ハイエンド向けのスタッドホルダーの構造をねじを使用して維持しながら損傷のリスクを減らすことが課題となる。
【課題を解決するための手段】
【００１１】
このために、本発明は、バランスばね用スタッド及びスタッドホルダーを有する計時器用バランスばねを保持又は支持するためのアセンブリであって、
前記スタッドホルダーは、
前記バランスばね用スタッドを受ける第１のハウジングと、
前記バランスばね用スタッドの軸線に垂直な軸線を有する少なくとも１つのねじを有する前記バランスばね用スタッドを固定する手段と、及び
エスケープ機構に前記スタッドホルダーを固定する手段とを有し、
前記バランスばね用スタッドは、前記バランスばねを保持又は支持する方向を定める方向制限用表面を有し、
前記ねじは、指標付けされたロック位置において前記バランスばね用スタッドを保持するように、前記バランスばね用スタッドに少なくとも部分的に進入し、
前記スタッドは、前記ねじと連係する雌ねじを有し、この雌ねじは、前記方向制限用表面を形成し、
前記スタッドホルダーは、
前記ねじのそれぞれの通路を与える第１のボアと、及び
前記スタッドのための前記第１のハウジングとは反対側における前記第１のボアの入口に設けられ、前記ねじが有するねじ頭が当接するための第１の支持表面とを有するものに関する。
【００１２】
本発明は、さらに、このようなアセンブリを少なくとも１つ有する計時器用エスケープ機構に関する。
【００１３】
本発明は、さらに、このようなエスケープ機構を少なくとも１つ有する計時器用ムーブメントに関する。
【００１４】
本発明は、さらに、この種のムーブメントを少なくとも１つ有し、腕時計である計時器に関する。
【００１５】
添付図面を参照して下の詳細な説明を読むことで、本発明の他の特徴及び利点を思い描くことができるであろう。
【図面の簡単な説明】
【００１６】
【図１】図１は、従来のバランスばね保持アセンブリを有するエスケープ機構の概略的な平面図を示し、このバランスばね保持アセンブリは、スタッドホルダーと、スタッドホルダーのボアに収容されるバランスばね用スタッドと、及びスタッドホルダーの雌ねじと螺合しバランスばね用スタッドに支えられるねじとを有する。
【図２】図２は、図１のアセンブリにおけるねじの軸線及びバランススばね用スタッドの軸線を通る平面におけるＢ−Ｂ断面図である。
【図３】図３は、図１のアセンブリの概略的な分解斜視図を示す。
【図４】図４は、本発明に係る第１の実施形態を前記図１と同様な形態で示す平面図である。この図において、ねじはスタッドホルダーのボアを通り抜けて、バランスばね用スタッドの雌ねじと螺合している。
【図５】図５は、図４のアセンブリを前記図２と同様な形態で示す。
【図６】図６は、図４のアセンブリを前記図３と同様な形態で示す。
【図７】図７は、本発明に係るアセンブリによって保持されるバランスばねを有するエスケープ機構を備えるムーブメントを有する計時器を示すブロック図である。
【発明を実施するための形態】
【００１７】
本発明は、バランスばね用スタッド１及びスタッドホルダー２を有する計時器用バランスばね２１を保持又は支持するためのアセンブリ２０に関する。
【００１８】
このスタッドホルダー２は、
−バランスばね用スタッド１を受ける第１のハウジング３と、
−少なくとも１つのねじ５を有するスタッド１を固定する手段４と、及び
−エスケープ機構３０にスタッドホルダー２を固定する手段６と
を有する。
【００１９】
バランスばね用スタッド１は、この種のバランスばね２１を保持又は支持する方向を定める少なくとも１つの方向制限用表面７を有する。
【００２０】
図１は、スタッドホルダー２のボア３に収容されるバランスばね用スタッド１と、及びバランスばね用スタッド１の軸線と直交する軸線を有しスタッドホルダー２の雌ねじ２１に螺合しバランスばね用スタッド１の横方向の面に支えられるようなねじ５とを有する従来技術を示す。
【００２１】
本発明によると、前記少なくとも１つのねじ５は、バランスばね用スタッド１に少なくとも部分的に進入して、指標付けされたロック位置にバランスばね用スタッド１を保持する。
【００２２】
本発明に係る第１の実施形態によれば、図４〜６に示すように、バランスばね用スタッド１は前記少なくとも１つのねじ５と連係する少なくとも１つの雌ねじ８を有する。この雌ねじ８は方向制限用表面７を形成する。
【００２３】
このスタッドホルダー２は、
−少なくとも１つのねじ５の通路を与える第１のボア１１と、
−前記少なくとも１つのねじ５が有するねじ頭５１が当接するための第１の支持面１１であって、この第１の支持面１１が、バランスばね用スタッド１のための第１のハウジング３とは反対側に、第１のボア１１の入口に配置されているような支持面１１と
を有する。
【００２４】
ねじ頭５１は、スタッドホルダー２の第１の支持面１１に当接する。この第１の実施形態では、ねじ５は、そのねじ山の弾性変形によって動作するような伝統的な方法で使用される。バランスばね用スタッド１は、従来技術におけるようにスタッドホルダー２に押しつけられないが、ねじ５によってスタッドホルダー２の方へ付けられる。バランスばね用スタッド１の方向は、ねじ頭５１によって与えられる。このねじ頭５１は、ねじ５の方向を決め、したがって、バランスばね用スタッド１の雌ねじ８の方向を決める。この雌ねじ８は、バランスばね２１を保持するバランスばね用スタッド１の方向制限用表面７を形成する。
【００２５】
スタッドホルダー２は、凹部を有することができ、これによって、ねじを緩めることってバランスばねの平坦度を調整することが可能になる。実際に、腕時計の製造業者は、バランスばねが可能な限り平坦であるようにバランスばねを位置合わせすることを常に心がけている。バランスばね用スタッド上の取り付け位置が、例えば、バランススタッフ棒上の取り付け位置よりも低い場合、バランスばねは、傘の形になる傾向がある。この現象を改善するために、腕時計の製造業者は、バランスばね用スタッドのねじを緩めて、２つの取り付け位置が同じ高さになるまでバランスばね用スタッドを上げ、これによって、バランスばねが再び平坦にされる。しかし、この調整は、バランスばね用スタッドがスタッドホルダー内で移動することができる範囲でのみ可能である。図５の第１の実施形態において、バランスばね用スタッドは下方にのみ動くことができる。この場合、補正のために両方向への補正が可能となるようにねじが開口の中心位置になるように、スタッドの公称的な位置を選ぶ必要がある。円筒状の穴が設けられた場合では、調整が可能ではなく、穴が縦長の変形例においては、高さ方向のこのような調整が可能になる。
【００２６】
この第１の実施形態においては、好ましくは、ねじ５を１つのみ有し、バランスばね用スタッド１の雌ねじ８を１つのみ有する。
【００２７】
本発明は、さらに、このようなアセンブリ２０を少なくとも１つ有する計時器用エスケープ機構３０に関する。
【００２８】
本発明は、さらに、この種のエスケープ機構３０を少なくとも１つ有する計時器用ムーブメント４０に関する。
【００２９】
本発明は、さらに、このようなムーブメント４０を少なくとも１つ有する計時器５０に関する。具体的には、この計時器５０は、腕時計である。
【００３０】
本発明は、以下のような様々な利点を有する。すなわち、
−ねじが、ねじれではなく静止摩擦によって機能する。これによって、ねじを壊すリスクが減る。
−安定な調整が確実になり、ハイエンド向けムーブメントへの搭載が可能になる。
−本発明に係るスタッドホルダーアセンブリによって、従来技術のスタッドホルダーを交換することが可能であり、これによって、既存のムーブメントを改善することが可能になる。
【符号の説明】
【００３１】
１    バランスばね用スタッド
２    スタッドホルダー
３    ハウジング
５    ねじ
７    方向制限用表面
８    雌ねじ
１１  第１のボア
２１  計時器用バランスばね
３０  エスケープ機構
４０  計時器用ムーブメント
５０  計時器
５１  ねじ頭
【図１】
2015102548.tif 000003
【図２】
2015102548.tif 000004
【図３】
2015102548.tif 000005
【図４】
2015102548.tif 000006
【図５】
2015102548.tif 000007
【図６】
2015102548.tif 000008
【図７】
2015102548.tif 000009